(57)【特許請求の範囲】
【請求項１】
患部領域に向けてレーザー光を照射しスキャニングするスキャナー機能を有したレーザーハンドピースであって、
前記レーザーハンドピース内部に透過するレーザー光の光路軸を中心として回転可能に配置されるとともにレーザー光を屈折させる光学要素を装着した光路軸屈折手段と、
前記光路軸屈折手段を回転駆動する回転駆動手段と、
を有し、
前記光路軸屈折手段の回転に応じた光学要素によるレーザー光の屈折変位に応じて前記患部領域における領域拡大スキャニングを可能としたスキャナー機能を有したレーザーハンドピースにおいて、
前記回転駆動手段はレーザーハンドピース内部を通過するエアーによって光路軸屈折手段を回転可能にしたことを特徴とするスキャナー機能を有したレーザーハンドピース。
【請求項２】
前記光路軸屈折手段は、
レーザーハンドピースのヘッド部内に回転可能にかつ着脱可能に配置したカートリッジ式の円筒体と、
この円筒体によりレーザー光の光路軸を中心として支持されたレーザー光を屈折させる光学要素と、
前記円筒体における前記光学要素より後端側の肉厚部に径方向斜め配置で設けた回転用のエアー流路を形成するための斜め孔と、を具備し、
前記回転駆動手段は、レーザーハンドピース内で前記光学要素を支持する円筒体内に流入し前記斜め孔を経てレーザーハンドピースのヘッド部側に流出することで、前記円筒体に回転力を作用するエアーであることを特徴とする請求項１記載のスキャナー機能を有したレーザーハンドピース。
【請求項３】
前記光学要素は、前記円筒体によりレーザー光の光路軸に対して傾斜配置に支持されたレンズであることを特徴とする請求項２記載のスキャナー機能を有したレーザーハンドピース。
【請求項４】
前記光学要素は、前記円筒体によりレーザー光の光路に臨ませて支持されたプリズムであることを特徴とする請求項２または３に記載のスキャナー機能を有したレーザーハンドピース。
【請求項５】
前記光路軸屈折手段の光学要素を通過したレーザー光をミラー又はプリズムにより光路を曲げてヘッド部から患部領域に向けて射出することを特徴とする請求項１乃至４のいずれかに記載のスキャナー機能を有したレーザーハンドピース。
【請求項６】
前記レーザー光は、炭酸ガスレーザー光であり、前記光学要素の材質はＺｎＳｅであることを特徴とする請求項１乃至５のいずれかに記載のスキャナー機能を有したレーザーハンドピース。
【発明の詳細な説明】
【技術分野】
【０００１】
本発明は、スキャナー機能を有したレーザーハンドピースに関し、詳しくは、患部領域に対するレーザー光の照射範囲を拡大し得るようにしたスキャナー機能を有したレーザーハンドピースに関するものである。
【背景技術】
【０００２】
歯科治療においては、歯周疾患や歯槽膿漏等の軟組織をレーザー光にて蒸散する治療が従来から行なわれている。
【０００３】
そしてこれらの治療においては、レーザー光を患部領域の広範囲にわたって照射することが治療効率を高めるために要請されるが、現状ではレーザー光を自動的に前後左右にスキャニングさせる歯科治療用の装置が開発されていないために、歯科医師がハンドピースを手動にて前後左右に動かす操作をしなければならなかった。
【０００４】
一方、一般の工業界においては既にレーザー光を広範囲にかつ自動的にスキャニングしつつ照射する装置が開発されている。
【０００５】
例えば、ポリゴンミラーやガルバノスキャナを使用したものが公知であり、ポリゴンミラーを使用した例としては、レーザープリンタ、スキャナー、バーコードリーダがあり、ガルバノスキャナを使用した例としては、レーザーマーカ、光造形装置、レーザー加工機、あるいは医療用として眼科治療用のエキシマレーザー等がある。
【０００６】
特許文献１には、本願出願人が先に提案した医療用スキャニング装置の発明が開示されている。
【０００７】
この発明は、歯科治療においてレーザー光のエネルギーが一点集中しないようにするためにハンドピースの先端に風車と一体に回転するポリゴンミラー、あるいは風圧にて揺動するミラーを内蔵させ、これらのポリゴンミラー回転又はミラーの揺動によりレーザー反射光を自動的にスキャニングさせるように構成したものである。
【０００８】
しかし、特許文献１の医療用スキャニング装置の場合、ポリゴンミラー回転又はミラーの揺動によりレーザー反射光を自動的にスキャニングすることから、患部領域におけるレーザー光の照射領域は一定の直線ライン状のパターンを有する狭範囲に限定されてしまうものである。
【先行技術文献】
【特許文献】
【０００９】
【特許文献１】特開２００３−１６４４６７号公報
【発明の概要】
【発明が解決しようとする課題】
【００１０】
本発明が解決しようとする問題点は、患部領域に向けてレーザー光を射出するだけで患部領域における二次元的な領域拡大スキャニングを自動的に実行し得るようなレーザーハンドピースが存在しない点である。
【課題を解決するための手段】
【００１１】
本発明は、患部領域に向けてレーザー光を照射しスキャニングするスキャナー機能を有したレーザーハンドピースであって、前記レーザーハンドピース内部に透過するレーザー光の光路軸を中心として回転可能に配置されるとともにレーザー光を屈折させる光学要素を装着した光路軸屈折手段と、前記光路軸屈折手段を回転駆動する回転駆動手段と、を有し、前記光路軸屈折手段の回転に応じた光学要素によるレーザー光の屈折変位に応じて前記患部領域における領域拡大スキャニングを可能としたことを最も主要な特徴とする。
【発明の効果】
【００１２】
請求項１記載の発明によれば、レーザーハンドピース自体によりエアー力により光学要素を回転させてレーザー光の光路を曲げ、患部領域に向けてレーザー光を射出するというスキャナー機能を発揮させることができ、患部領域における例えば円形状等の二次元的な領域拡大スキャニングを自動的に実行することが可能となり、治療効率の向上に大いに寄与するスキャナー機能を有したレーザーハンドピースを提供することができる。
【００１３】
また、請求項１記載の発明において特に、回転駆動手段をレーザーハンドピース内部を通過するエアーによって光路軸屈折手段を回転可能とする構成としているので、前記作用効果に加えて電気的な制御不要であり、格別な電気的回路、機器も必要とせず、製造コストの低減を図ることもできるスキャナー機能を有したレーザーハンドピースを提供することができる。
【００１４】
請求項２記載の発明によれば、請求項１記載の発明において、前記光路軸屈折手段を、レーザーハンドピースのヘッド部内に回転可能にかつ着脱可能に配置したカートリッジ式の円筒体と、この円筒体によりレーザー光の光路軸を中心として支持されたレーザー光を屈折させる光学要素と、前記円筒体における前記光学要素より手前の肉厚部に径方向斜め配置で設けた回転用のエアー流路を形成するための斜め孔と、を具備する構成とし、前記回転駆動手段として、レーザーハンドピース内に導入し、前記円筒体に回転力を作用するエアーを採用する構成の基に、請求項１記載の発明と同様な効果を奏し、かつ、電気的な制御不要であり、格別な電気的回路、機器も必要とせず、製造コストの低減を図ることもできるスキャナー機能を有したレーザーハンドピースを提供することができる。
【００１５】
請求項３記載の発明によれば、請求項２記載の発明において、光学要素として、レーザー光の光路軸に対して傾斜配置に支持されたレンズを採用する構成の基に、請求項２記載の発明と同様な効果を奏するスキャナー機能を有したレーザーハンドピースを提供することができる。
【００１６】
請求項４記載の発明によれば、請求項２または３に記載の発明において、光学要素として、プリズムを採用する構成の基に、請求項２または３のいずれかに記載の発明と同様な効果を奏するスキャナー機能を有したレーザーハンドピースを提供することができる。
【００１７】
請求項５記載の発明によれば、請求項１乃至４のいずれかに記載の発明において、光路軸屈折手段の光学要素を通過したレーザー光をミラー又はプリズムにより光路を曲げてヘッド部から患部領域に向けて射出する構成としているので、請求項１乃至４のいずれかに記載の発明と同様な効果を奏し、かつ、アングル型のレーザーハンドピースにも対応することが可能なスキャナー機能を有したレーザーハンドピースを提供することができる。
【００１８】
請求項６記載の発明によれば、請求項１乃至５のいずれかに記載の発明において、前記レーザー光は炭酸ガスレーザー光であり、前記光学要素の材質は炭酸ガスレーザー光の透過性のよいＺｎＳｅ（ジンクセレン）としているので、 虫歯箇所の蒸散、歯茎や粘膜の切開等の患部手術に有効なスキャナー機能を有したレーザーハンドピースを提供することができる。
【図面の簡単な説明】
【００１９】
【図１】図１は本発明の実施例１に係るスキャナー機能を有したレーザーハンドピースの概略斜視図である。
【図２】図２は本実施例１に係るスキャナー機能を有したレーザーハンドピースの概略断面図である。
【図３】図３は本実施例１に係るスキャナー機能を有したレーザーハンドピースにおけるハンドピース先端部及び光路軸屈折手段の部分拡大断面図である。
【図４】図４は本実施例１に係るスキャナー機能を有したレーザーハンドピースにおける光路軸屈折手段の概略斜視図である。
【図５】図５は本実施例１に係るスキャナー機能を有したレーザーハンドピースにおける光路軸屈折手段の概略断面図である。
【図６】図６は本実施例１に係るスキャナー機能を有したレーザーハンドピースにおける光路軸屈折手段の他例を示す斜視図である。
【図７】図７は本実施例１に係るスキャナー機能を有したレーザーハンドピースにおける傾斜したレンズの回転により光路軸を曲げる状態を概念的に示す説明図である。
【図８】図８は本実施例１に係るスキャナー機能を有したレーザーハンドピースにおける患部領域のスキャニング状態を示す概略斜視図である。
【図９】図９は本実施例１に係るスキャナー機能を有したレーザーハンドピースにおける拡張例の概要を示す説明図である。
【図１０】図１０は本実施例１に係るスキャナー機能を有したレーザーハンドピースに炭酸ガスレーザー光及びエアーを送る炭酸ガスレーザー装置の概略構成図である。
【図１１】図１１は本発明の実施例２に係るスキャナー機能を有したレーザーハンドピースの概略断面図である。
【図１２】図１２は本実施例２に係るスキャナー機能を有したレーザーハンドピースにおける光路軸屈折手段の概略断面図である。
【発明を実施するための形態】
【００２０】
本発明は、患部領域に向けてレーザー光を射出するだけで患部領域における二次元的な領域拡大スキャニングを自動的に実行することができるレーザーハンドピースを提供するという目的を、患部領域に向けてレーザー光を照射しスキャニングするスキャナー機能を有したレーザーハンドピースであって、前記レーザーハンドピース内部に透過するレーザー光の光路軸を中心として回転可能に配置されるとともにレーザー光を屈折させる光路軸に対して傾斜配置のレンズ、又は、プリズムからなる光学要素を装着した光路軸屈折手段と、前記光路軸屈折手段にエアーによる回転力を作用して回転させる回転駆動手段と、を有し、前記光路軸屈折手段の回転に応じた光学要素によるレーザー光の屈折変位に応じて前記患部領域においてレーザー光による領域拡大スキャニングを行う構成により実現した。
【実施例】
【００２１】
以下に本発明の実施例に係るスキャナー機能を有したレーザーハンドピースについて図面を参照して詳述する。
【００２２】
（実施例１）
本実施例１に係るスキャナー機能を有したレーザーハンドピース１は、ファイバー等により構成される導光部材５７を介して詳細は後述する炭酸ガスレーザー装置５１に接続され、前記レーザーハンドピース１の先端から例えば歯肉や歯牙等の患部領域６１に対して炭酸ガスレーザー光Ｌを広範囲にわたってスキャニングしつつ照射するように構成している。
【００２３】
炭酸ガスレーザー光Ｌは、虫歯箇所の蒸散、歯茎や粘膜の切開等の患部手術に有効であるとされている。
【００２４】
本実施例に係るレーザーハンドピース１は、図１、図２に示すように、筒体状に形成され、その外周を本体側グリップとして機能させるハンドピース本体２と、このハンドピース本体２の先端側に着脱可能に配置したハンドピース先端部３と、ハンドピース先端部３の先端側に着脱可能に配置したハンドピースヘッド４とを有している。
【００２５】
前記ハンドピース本体２は、後端側から炭酸ガスレーザー光Ｌ及びエアーを内部に導入するとともに、外周部をグリップ部６として機能させる本体円筒部５と、本体円筒部５の先端側に後端が着脱可能に装着されるとともに、他端側にカートリッジ装着筒部８を備える連結円筒部７と、を具備している。
【００２６】
本体円筒部５と連結円筒部７との連結部の内部には、炭酸ガスレーザー光Ｌの光軸に対して直交するように集光レンズ９を保持した集光レンズ保持筒１８を着脱可能に配置している。
【００２７】
前記集光レンズ保持筒１８における集光レンズ９の手前側と先方側とには、各々抜穴１０が穿設され、本体円筒部５内に導入されたエアーが、集光レンズ９の手前側の抜穴１０、集光レンズ保持筒１８の外周と前記連結円筒部７の内周との間に形成される隙間７ａ、集光レンズ９の先方側の抜穴１０を経てハンドピース先端部３内に流入するようなエアー流路ＡＬを形成している。
【００２８】
前記集光レンズ９は、例えばＺｎＳｅ（ジンクセレン）等を用いて形成している。
【００２９】
次に、前記ハンドピース先端部３及びハンドピースヘッド４について説明する。
前記ハンドピース先端部３は、前記連結円筒部７のカートリッジ装着筒部８に後端側を嵌着するとともに、先端側を前記カートリッジ装着筒部８よれもさらに先方に突出させる先端筒部１１を具備している。
【００３０】
そして、先端筒部１１の後端側近くの外周部に配置した止めネジ１２を、この先端筒部１１の肉厚部を貫いて前記カートリッジ装着筒部８の外周に締め付けることで、先端筒部１１をカートリッジ装着筒部８に着脱可能に取り付けるように構成している。
【００３１】
前記ハンドピースヘッド４は、前記先端筒部１１に着脱可能に嵌着するヘッド筒部１３と、このヘッド筒部１３の先端に設けた略球形状のヘッド部１４と、を具備している。
【００３２】
前記ヘッド筒部１３内には、カートリッジ式の光路軸屈折手段２１と、この光路軸屈折手段２１を先端側で保持するカートリッジ保持筒２２とが着脱可能に内装されるように構成している。
【００３３】
すなわち、前記カートリッジ保持筒２２は、先端側の光路軸屈折手段２１を前記ヘッド部１４側に臨ませた状態で、前記ヘッド筒部１３の内部を経て前記カートリッジ装着筒部８内に後端側が至るように配置されている。
【００３４】
前記ヘッド部１４は、光路軸屈折手段２１と所定の間隔を隔て、かつ、炭酸ガスレーザー光Ｌの光軸と所定の傾斜角度を持った鏡面を備える先端チップであるミラー体１５を着脱可能に保持するとともに、ミラー体１５の下方に炭酸ガスレーザー光Ｌの射出口１６を設けた構成としている。
【００３５】
以上の構成により、本実施例のレーザーハンドピース１において、本体円筒部５の内部、集光レンズ９、連結円筒部７の内部、カートリッジ装着筒部８の内部、光路軸屈折手段２１の内部、ミラー体１５、射出口１６からなる炭酸ガスレーザー光Ｌの導光路１７が形成さるようになっている。
【００３６】
また、本体円筒部５の内部、集光レンズ９の手前側の抜穴１０、集光レンズ保持筒１８の外周と前記連結円筒部７の内周との間に形成される隙間７ａ、集光レンズ９の先方側の抜穴１０、カートリッジ装着筒部８の内部を経て光路軸屈折手段２１に至り、さらに、光路軸屈折手段２１から流出してヘッド筒部１３の内側から前記射出口１６から外部に流出するエアー流路ＡＬを形成している。
【００３７】
ここで、前記光路軸屈折手段２１、カートリッジ保持筒２２について、図３乃至図５を参照して詳述する。
【００３８】
前記光路軸屈折手段２１は、前記カートリッジ保持筒２２の先端側の端部に着脱可能に配置した装着筒部２３と、この装着筒部２３に取り付けた円環状の軸受２４と、この軸受２４により回転可能に支持されるとともに前記ヘッド筒部１３の内周との間にエアー用隙間２７を形成した円筒体２５と、円筒体２５の先端側でかつ炭酸ガスレーザー光Ｌの光軸に対して所定角度（例えば８５〜８７度等）傾けて配置した光学要素であるレンズ２６と、を具備している。
【００３９】
前記レンズ２６は、例えばＺｎＳｅ（ジンクセレン）等を用いて形成している。
【００４０】
前記円筒体２５における前記レンズ２６より手前の肉厚部には、この円筒体２５の径方向に対して斜め配置で設けたエアー流路ＡＬを形成するための斜め孔２８を所要円周方向で分散配置に設けている。
【００４１】
そして、前記レーザーハンドピース１の本体円筒部５内に導入れ、エアー流路ＡＬを流れ円筒体２５内に流入する回転駆動手段であるエアーを、前記斜め孔２８、エアー用隙間２７を経てヘッド筒部１３の内側、前記射出口１６を経て外部に流出させることによって、前記円筒体２５に回転力を作用し、この円筒体２５とともに前記レンズ２６を傾斜配置のまま回転させるように構成している。
【００４２】
前記光路軸屈折手段２１に替えて、図６に示すような光路軸屈折手段２１Ａを採用することもできる。
【００４３】
図６に示す光路軸屈折手段２１Ａは、例えばレンズ２６を傾斜配置に内蔵した円筒体２５の外周に複数枚の羽根３１を全周にわたって設け、羽根３１の外周に円筒状の羽根支持筒３２を装着し、この羽根支持筒３２を円環状の軸受３３の内周に配置するとともに、軸受３３の外周を装着筒部２３に装着することで、円筒体２５、羽根３１、羽根支持筒３２を光軸の回りで回転可能としたものである。
【００４４】
そして、エアー流路ＡＬを流れるエアーを羽根３１を通過させて前記ヘッド筒部１３の内側、前記射出口１６を経て外部に流出させることによって、羽根３１とともに前記レンズ２６を傾斜配置のまま回転させるように構成している。
【００４５】
前記光路軸屈折手段２１のレンズ２６が傾斜配置のまま回転すると、図７に概念的に示すように、レンズ２６に至った炭酸ガスレーザー光Ｌは、レンズ２６の回転に応じてその光軸が屈折変位して曲がり、ミラー体１５の鏡面での反射位置もレンズ２６の回転に応じて変化し、このような状態で前記射出口１６を経て患部領域６１に照射される。
【００４６】
前記光路軸屈折手段２１Ａを用いた場合も同様である。
【００４７】
この結果、図７に示すように、患部領域６１において前記炭酸ガスレーザー光Ｌにより、例えば円形状のような二次元的広がりを有する領域拡大スキャニングを実行することができる。
【００４８】
本実施例１に適用する炭酸ガスレーザー装置５１は、図１０に示すように、例えば直方体箱型上に構成した装置本体５２と、前記装置本体５２に内装され、この炭酸ガスレーザー装置５１全体の制御を行う制御部５３と、例えば波長１０．６μｍで、所定の出力の炭酸ガスレーザー光Ｌを発信する炭酸ガスレーザー発信器５４と、装置本体５２の動作に必要な各種操作入力及び各種情報表示を行う操作表示部５５と、装置本体５２に内装されるとともに、患部領域６１に向けて噴射するためのエアー（圧力空気）を生成するエアーコンプレッサー等からなる空気供給源５６と、前記炭酸ガスレーザー発信器５４により発信する炭酸ガスレーザー光Ｌをレーザーハンドピース１に導光する導光部材５７と、前記空気供給源５６に一端を接続し、レーザーハンドピース１に他端を接続した例えばパイプ材からなるエアー供給用の空気流路５８と、を有している
【００４９】
以上説明した本実施例１に係るスキャナー機能を有したレーザーハンドピース１によれば、患部領域６１に向けて炭酸ガスレーザー光Ｌを射出するだけで、患部領域６１における例えば円形状等の二次元的な領域拡大スキャニングを自動的に実行することができる。
【００５０】
また、前記レーザーハンドピース１は、エアー力によりレンズ２６を回転させてスキャナー機能を発揮させるものであるから、電気的な制御が不要であり、格別な電気的回路、機器も必要とせず、製造コストの低減を図ることができる。
【００５１】
さらに、前記レーザーハンドピース１内にスキャナー機能を搭載した構成としているので、炭酸ガスレーザー光Ｌの光軸ずれ、出力低下を防止できる。
【００５２】
さらに、前記光路軸屈折手段２１をカートリッジ式としているので、カートリッジ交換で異なるサイズのレンズ２６（例えば３ｍｍサイズ、５ｍｍサイズ等）をレーザーハンドピース１内に配置することで、スキャニング領域をレンズサイズに応じて変更することも可能となる。
【００５３】
前記レーザーハンドピース１により患部領域（歯肉、歯牙等）６１に向けて炭酸ガスレーザー光Ｌを照射する場合、上述したスキャナー機能を使用することで、レーザーパワー密度を維持しながら患部に対する照射範囲を拡大できるという利点もある。
【００５４】
図９は、本実施例１の拡張例の概要を示すものであり、前記光路軸屈折手段２１のレンズ２６を透過した炭酸ガスレーザー光Ｌをミラー体１５の鏡面で反射させて患部領域に照射する態様を示すものである。
【００５５】
このような構成を採用すれば、ミラーがなく光軸上にレーザー光の射出口があるストレート型のレーザーハンドピースの他に、ハンドピースヘッドが曲折したアングル型のレーザーハンドピースに対しても本発明を適用することが可能となる。
【００５６】
（実施例２）
次に、本発明の実施例２に係るスキャナー機能を有したレーザーハンドピース１Ａについて図１１、図１２を参照して説明する。
【００５７】
尚、図１１、図１２に示すレーザーハンドピース１Ａにおいて、実施例１に係るレーザーハンドピース１の場合と同一の要素には同一の符号を付し、その詳細説明は省略する。
【００５８】
本実施例２に係るレーザーハンドピース１Ａは、基本的構成は実施例１に係るレーザーハンドピース１と同様であるが、前記光路軸屈折手段２１おけるレンズ２６に替えて、光学要素であるプリズム３０を配置したことが特徴であり、この他の各要素は実施例１の場合と同様である。
【００５９】
本実施例２に係るレーザーハンドピース１Ａによっても、エアー力によりプリズム３０を回転させてこのプリズム３０の回転に応じてその光軸が屈折変位して曲がり、ミラー体１５の鏡面での反射位置もプリズム３０の回転に応じて変化し、このような状態で前記射出口１６を経て患部領域６１に照射される。
【００６０】
この結果、実施例１の場合と同様に、患部領域６１において前記炭酸ガスレーザー光Ｌにより、例えば円形状等のような二次元的広がりを有する領域拡大スキャニングを自動的に実行することができる。
【００６１】
また、本実施例２に係るレーザーハンドピース１Ａによっても、既述した実施例１の場合と同様な種々の効果を発揮させることができる。
【００６２】
尚、実施例１、２に係るレーザーハンドピース１、１Ａにおいて、前記光路軸屈折手段２１及びカートリッジ保持筒２２を取り外せば、これらレーザーハンドピース１、１Ａをスキャナー機能を有しない通常のレーザーハンドピースとして機能させることができることは言うまでもない。
【００６３】
また、実施例１、２に係るレーザーハンドピース１、１Ａとともに使用するレーザー装置は、上述した炭酸ガスレーザー装置５１に限定されるものではなく、半導体レーザー装置等、各種のレーザー装置を採用することが可能である。
【産業上の利用可能性】
【００６４】
本発明のスキャナー機能を有するレーザーハンドピースは、上述した実施例１、２の構成例の他、例えば手持ちスイッチ付レーザーハンドピース、フットスイッチ付レーザーハンドピース等種々の構造のレーザーハンドピースに関して広範に適用可能である。
【符号の説明】
【００６５】
１      レーザーハンドピース
１Ａ    レーザーハンドピース
３      ハンドピース先端部
４      ハンドピースヘッド
５      本体円筒部
７      連結円筒部
７ａ    隙間
８      カートリッジ装着筒部
９      集光レンズ
１０    抜穴
１１    先端筒部
１２    ネジ
１３    ヘッド筒部
１４    ヘッド部
１５   ミラー体
１６    射出口
１７    導光路
１８    集光レンズ保持筒
２１    光路軸屈折手段
２１Ａ  光路軸屈折手段
２２    カートリッジ保持筒
２３    装着筒部
２４    軸受
２５    円筒体
２６    レンズ
２７    エアー用隙間
２８    斜め孔
３０    プリズム
３１    羽根
３２    羽根支持筒
３３    軸受
５１    炭酸ガスレーザー装置
５２    装置本体
５３    制御部
５４    炭酸ガスレーザー発信器
５５    操作表示部
５６    空気供給源
５７    導光部材
５８    流体流路
６１    患部領域
ＡＬ    エアー流路
Ｌ      炭酸ガスレーザー光
【図１】
0006421011.tif 000002
【図２】
0006421011.tif 000003
【図３】
0006421011.tif 000004
【図４】
0006421011.tif 000005
【図５】
0006421011.tif 000006
【図６】
0006421011.tif 000007
【図７】
0006421011.tif 000008
【図８】
0006421011.tif 000009
【図９】
0006421011.tif 000010
【図１０】
0006421011.tif 000011
【図１１】
0006421011.tif 000012
【図１２】
0006421011.tif 000013